(57)【要約】【課題】歯科医師および歯科衛生士等が、患者へ説明を行う際の歯科情報を、患者が容易に理解できる様式で出力することが可能な歯科情報管理システムの提供を課題とする。【解決手段】歯科医師および歯科衛生士等の診察者が検査や診断の結果に基づき、患者毎の歯科情報を入力し、管理する歯科情報管理システムであって、該歯科情報管理システムの出力手段として患者の歯列を口腔内の喉側からの視点による立体的に表示する口腔内表示手段、患者の歯列を２次元的な表示による口腔内表示手段、患者の歯科情報をグラフにより表示し、患者に病状を認識させる病状認識表示手段をそれぞれ具備する。【選択図】図１
2005063397.tif 000002
【特許請求の範囲】
【請求項１】
診察者が検査や診断の結果に基づき、患者毎の歯科情報を入力し、管理する歯科情報管理システムであって、患者毎の歯科情報を入力する入力手段と当該入力手段によって入力された前記歯科情報を記憶する記憶手段と、該記憶手段から前記歯科情報を読み出し、前記歯科情報を出力する出力手段を備え、該出力手段においては、患者の歯列を口腔内の喉側からの視点による立体的に表示する口腔内表示手段（以下Ｕ型歯列表示手段とする）と患者の歯列を２次元的に表示する口腔内表示手段（以下２次元歯列表示手段とする）と患者の歯科情報をグラフにより表示し、患者に病状を認識させる病状認識表示手段を具備することを特徴とする歯科情報管理システ厶。
【請求項２】
前記Ｕ型歯列表示手段は、少なくとも永久歯又は乳歯の区別、歯の有無、治療が必要な箇所、歯の欠損部分の治療処置状況をそれぞれ視覚的に表示することが可能で、更に、歯牙部分および歯肉部分に対して、傷病名や病状の内容及び歯科医師の治療方針等を文字による情報としても表示可能であり、前記入力手段においても、Ｕ型歯列表示による様式での歯科情報の入力が可能であることを特徴とする請求項１に記載の歯科情報管理システム。
【請求項３】
前記２次元的歯列表示手段は、歯周病検査データに基づき、患者の歯周病箇所を視覚的に明示することを可能とするもので、その表示方法は、歯肉表示部分に対する識別可能な視覚的表示方法と歯根表示部分に対する識別可能な視覚的表示方法の２種類の表現様式方法を備え、それらの表示方法は任意に変更できることを特徴とする請求項１又は請求項２のいずれかに記載の歯科情報管理システム。
【請求項４】
前記２次元的歯列表示手段は、歯周病検査データに基づき、患者の歯冠部のプラーク付着状態と歯肉部のポケットの状態を同一の歯牙表示部分に同時に視覚的に表示することができることを特徴とする、請求項１乃至３のいずれかに記載の歯科情報管理システム。
【請求項５】
前記２次元的歯列表示手段は、歯周病検査データに基づき、患者の歯肉部のアタッチメントレベルを視覚的に表示することを可能とし、更に、歯肉表示部分に目盛り線を表示することにより、歯肉の退縮および付着の獲得の程度が正確に認識可能であることを特徴とする請求項１乃至４のいずれかに記載の歯科情報管理システム。
【請求項６】
前記２次元的歯列表示手段は、歯周病検査データに基づき、患者の歯肉部のポケットの状態を視覚的に表示することを可能とし、更に、同一の歯牙表示部分に対して、検査日の異なる歯科情報を同時に視覚的に表示することが可能であることを特徴とする請求項１乃至５のいずれかに記載の歯科情報管理システム。
【請求項７】
前記病状認識表示手段は、歯周病検査データに基づき、患者の残存歯牙数に対する歯周病箇所の割合を算出し表示することを可能とし、同じく歯周病検査データに基づき、ポケット深度の平均値を算出し表示することを可能とし、更に、それらの表示手段は検査日の異なる複数の検査データを上述の方法により、グラフで表示することを特徴とする請求項１乃至６のいずれかに記載の歯科情報管理システム。
【請求項８】
前記請求項１に記載の歯科情報管理システムであって、前記Ｕ型歯列表示手段は、少なくとも歯の有無、永久歯および乳歯の区別、要治療箇所、歯の欠損部分に対する治療処置状況を視覚的に表示し、歯牙部分および歯肉部分に対して、病状の内容および医師の治療方針等を文字による情報としても表示可能とし、前記入力手段においても、Ｕ型歯列表示による様式での歯科情報の入力を可能とし、前記２次元的歯列表示手段は、歯周病検査データに基づき、患者の口腔内における歯周病箇所を視覚的に表示することを可能とし、その表示方法は、歯肉表示部分に対する区別可能な視覚的表示方法と歯根表示部分に区別可能な視覚的表示方法の２つの表現方法を備え、それらの表示方法は任意に変更できることを可能とし、さらに、患者の口腔内におけるプラーク付着状態とポケットの状態を同一の歯牙表示部分に、またアタッチメントロスをそれぞれ視覚的に表示することを可能とし、さらにアタッチメントロスの表示においては、歯肉表示部分に目盛り線を補助的に表示することにより、検査結果に基づいた歯肉の退縮および付着の獲得状況を視覚的に表示することを可能とし、患者の口腔内におけるポケットの状態を視覚的に表示することを可能とし、さらに、同一の歯牙表示部分に対して、検査日の異なる検査データを同時に視覚的に表示することを特徴とし、前記病状認識表示手段は、歯周病検査データに基づき、患者の残存歯牙数に対する歯周病箇所の割合を表示することを可能とし、同じく歯周病検査データに基づき、ポケット深度の平均値を表示することを可能とし、さらに、それらの表示手段は検査日の異なる複数の検査データを上記方法により、時系列的にグラフで表示することを特徴とする歯科情報管理プログラムを記録したコンピュータ読み取り可能な記録媒体。
【発明の詳細な説明】
【技術分野】
【０００１】  本発明は、歯科情報管理システムであり、特に患者に対して歯科情報の提供を行うためのシステムに関するものである。
【背景技術】
【０００２】  従来から、コンピュータ技術の発達により、歯科医師や歯科衛生士等の診察者が、検査や診断等の歯科情報を患者毎にデータベース化し、コンピュータで管理することがあった。更に、該コンピュータから歯科情報をグラフや図表で出力し、それらの資料を用いて患者に病状や治療の方針等の説明を行うことがあった。【０００３】  ところが該コンピュータから出力される上述のグラフや図表の様式は、患者から見ると必ずしも容易に理解できるものではなかった。【０００４】  特に、患者に対して傷病箇所及び治療が必要な箇所を認識させるための歯列表示においては、診察者側の視点で見た歯列表示様式や患者が鏡でみた状態の歯列表示様式が用いられていたが、いずれも患者が自分の口腔内のどの箇所を指摘されているのか容易に理解することが困難であった。
【特許文献１】特開２００２−２４３８４号広報
【発明の開示】
【発明が解決しようとする課題】
【０００５】  そこで、本発明は、患者へ説明を行う際の歯科情報を、患者が容易に理解できる様式で出力することが可能な歯科情報管理システムの提供を課題とするものである。
【課題を解決するための手段】
【０００６】  本発明は上述の課題を解決することを目的として成されたもので、その課題を解決する手段として以下の構成を備える。【０００７】  即ち、第一の発明は、請求項１の発明に係る歯科情報管理システムであって、該発明によれば、診察者が検査や診断の結果に基づき、患者毎の歯科情報を入力し、管理する歯科情報管理システムであって、患者毎の歯科情報を入力する入力手段と該入力手段によって入力された前記歯科情報を記憶する記憶手段と、該記憶手段から前記歯科情報を読み出し、前記歯科情報を出力する出力手段を備え、該出力手段においては、患者の歯列を口腔内の喉側からの視点による立体的に表示する口腔内表示手段（以下Ｕ型歯列表示手段とする）と患者の歯列を２次元的に表示する口腔内表示手段（以下２次元的歯列表示手段とする）と患者の歯科情報をグラフにより表示し、患者に病状を認識させる病状認識表示手段を具備することを特徴とする歯科情報管理システムである。【０００８】  第二の発明は、請求項２に係る歯科情報管理システムであって、該発明によれば、前記Ｕ型歯列表示手段は、少なくとも永久歯又は乳歯の区別、歯の有無、治療が必要な箇所、歯の欠損部分の治療処置状況をそれぞれ視覚的に表示することが可能で、更に、歯牙部分および歯肉部分に対して、傷病名や病状の内容及び歯科医師の治療方針等を文字による情報としても表示可能であり、前記入力手段においても、Ｕ型歯列表示による様式での歯科情報の入力が可能であることを特徴とする。【０００９】  第三の発明は、請求項３に係る歯科情報管理システムであって、該発明によれば、前記２次元的歯列表示手段は、歯周病検査データに基づき、患者の歯周病箇所を視覚的に明示することを可能とするもので、その表示方法は、歯肉表示部分に対する識別可能な視覚的表示方法と歯根表示部分に対する識別可能な視覚的表示方法の２種類の表現様式を備え、それらの表示方法は任意に変更できることを特徴とする。【００１０】  第四の発明は、請求項４に係る歯科情報管理システムであって、該発明によれば、前記２次元的歯列表示手段は、歯周病検査データに基づき、患者の歯冠部のプラーク付着状態と歯肉部のポケットの状態を同一の歯牙表示部分に同時に視覚的に表示することができることを特徴とする。【００１１】  第五の発明は、請求項５に係る歯科情報管理システムであって、該発明によれば、前記２次元的歯列表示手段は、歯周病検査データに基づき、患者の歯肉部のアタッチメントレベルを視覚的に表示することを可能とし、更に、歯肉表示部分に目盛り線を表示することにより、歯肉の退縮および付着の獲得の程度が正確に認識可能であることを特徴とする。【００１２】  第六の発明は、請求項６に係る歯科情報管理システムであって、該発明によれば、前記２次元的歯列表示手段は、歯周病検査データに基づき、患者の歯肉部分のポケットの状態を視覚的に表示することを可能とし、更に、同一の歯牙表示部分に対して、検査日の異なる歯科情報を同時に視覚的に表示することが可能であることを特徴とする。【００１３】  第七の発明は、請求項７に係る歯科情報管理システムであって、該発明によれば、前記病状認識表示手段は、歯周病検査データに基づき、患者の残存歯��数に対する歯周病箇所の割合を算出し表示することを可能とし、同じく歯周病検査データに基づき、ポケット深度の平均値を算出し表示することを可能とし、更に、それらの表示手段は検査日の異なる複数の検査データを上述の方法によりグラフで表示することを特徴とする。【００１４】  第八の発明は、請求項８に係る歯科情報管理プログラムを記録したコンピュータ読み取り可能な記録媒体であって、該発明によれば、前記請求項１に記載の歯科情報管理システムであって、前記Ｕ型歯列表示手段は、少なくとも歯の有無、永久歯および乳歯の区別、要治療箇所、歯の欠損部分に対する治療処置状況を視覚的に表示し、歯牙部分および歯肉部分に対して、病状の内容および医師の治療方針等を文字による情報としても表示可能とし、前記入力手段においても、Ｕ型歯列表示による様式での歯科情報の入力を可能とし、前記２次元的歯列表示手段は、歯周病検査データに基づき、患者の口腔内における歯周病箇所を視覚的に表示することを可能とし、その表示方法は、歯肉表示部分に対する区別可能な視覚的表示方法と歯根表示部分に区別可能な視覚的表示方法の２つの表現方法を備え、それらの表示方法は任意に変更できることを可能とし、さらに、患者の口腔内におけるプラーク付着状態とポケットの状態を同一の歯牙表示部分に、またアタッチメントレベルをそれぞれ視覚的に表示することを可能とし、さらにアタッチメントレベルの表示においては、歯肉表示部分に目盛り線を補助的に表示することにより、検査結果に基づいた歯肉の退縮および付着の獲得状況を視覚的に表示することを可能とし、患者の口腔内におけるポケットの状態を視覚的に表示することを可能とし、さらに、同一の歯牙表示部分に対して、検査日の異なる検査データを同時に視覚的に表示することを特徴とし、前記病状認識表示手段は、歯周病検査データに基づき、患者の残存歯牙数に対する歯周病箇所の割合を表示することを可能とし、同じく歯周病検査データに基づき、ポケット深度の平均値を表示することを可能とし、さらに、それらの表示手段は検査日の異なる複数の検査データを上記方法により、時系列的にグラフで表示することを特徴とする歯科情報管理システムが可能となる。
【発明の効果】
【００１５】  以上説明したように、本発明によれば、診察者が行った検査や診断等に基づいて入力された歯科情報を、本発明の歯科情報出力手段によって出力することで、患者が容易に理解できる様式による情報出力を行うことが可能となる。このことにより、歯科医師及び歯科衛生士等は患者への説明が効率的かつ効果的に行うことができるようになり、また患者の治療への協力が得られやすくなるとともに、患者も納得して治療を受けることができるようになる。【００１６】  上述の患者が容易に理解できる様式の歯科情報とは、具体的には、請求項２の発明によれば、Ｕ型歯列表示手段によって出力される歯科情報により、患者は自分の口腔内のどの部位がどのような病状及び治療内容になるのかを容易に認識することが可能となる。【００１７】  また、請求項３の発明によれば、２次元的歯列表示手段によって、歯周病箇所を視覚的に明示することで、患者が自分の口腔内のどの部位が歯周病であるかを容易に認識することが可能となる。さらに、本発明によれば、歯周病箇所を明示するための表示様式を２種類備えており、その表示方法は任意に変更可能であることから、歯科医師又は歯科衛生士等は、患者の歯周病に関する知識及び理解力等の程度を見極めることにより、その表示様式を適宜選択することで、該患者により即した様式の歯科情報の提供を行うことが可能となる。【００１８】  また、請求項４の発明によれば、２次元的歯列表示手段によって、歯冠部のプラークの付着状態と歯肉部のポケットの状態を、視覚的に同時に視認することができることから、患者は歯の汚れの箇所と歯周病の部位及び病状の程度との相関を容易に理解することが可能となる。これにより、歯周病を治癒させるために必要である、口腔内の清潔・衛生に対する重要性を患者に理解させることができるとともに、患者に口腔内の清潔・衛生を維持するための動機付けを図ることが可能となる。【００１９】  また、請求項５の発明によれば、２次元的歯列表示手段によって、患者の歯肉部分のアタッチメントレベルを視覚的に表示できることから、患者は歯周病による自分の歯肉の退縮及び付着の状態を容易かつ正確に認識することが可能となる。【００２０】  また、請求項６の発明によれば、２次元的歯列表示手段によって、患者の歯肉部のポケットの状態を視覚的に表示し、更に、同一の歯牙表示部分に対して、検査日の異なるポケットの状態を同時に視覚的に表示することで、当該患者の歯周病の病状の程度の推移を容易に理解することが可能となる。これにより、当該患者は自分の歯周病の病状の回復の程度やその部位を認識することが可能となる。【００２１】  また、請求項７の発明によれば、病状認識表示手段によって、歯周病検査データに基づき、患者の残存歯牙数に対する歯周病箇所の割合や歯肉部のポケット深度の平均値をそれぞれ算出して表示することが可能である。更に、検査日の異なる複数の検査データを上述の方法により、時系列的にグラフで表示することができることから、該患者は自分の口腔内全体に対する歯周病箇所の割合の推移を認識することが可能となる。また、歯周病の病状、すなわち病状の悪化や回復の程度の推移に関しても、それぞれの歯牙に対してその病状を個別的に認識す���のではなく、口腔内全体として病状を総括的に理解することが可能となる。
【発明を実施するための最良の形態】
【００２２】  以下、本発明の実施の形態である歯科情報管理システムについて、図面に基づいて一例を詳細に説明する。【００２３】  図１は、第一の発明に係る歯科情報管理システムの実施の形態の一例をブロック図で示したものである。【００２４】  図１において、１０はＲＯＭ１１に格納されたプログラムに従い、本例システムの全体制御を司る制御部、１１は上述のＣＰＵ１０のプログラム等を記憶するＲＯＭ、１２はＣＰＵ１０の処理経過等を一時記憶するためのＲＡＭである。２１はマウス３１及び操作部３２からの入力を制御する操作制御部である。【００２５】  また、本例では、表示部３３にタッチパネル式モニターを使用しているため、該表示部からの入力の制御も前記操作制御部２１で行う。【００２６】  更に、２３は前記表示部３３を制御する表示制御部、２４はプリンター３４を制御するプリンター制御部、２５は外部記憶装置３５を制御する外部記憶装置制御部、２６は内部記憶装置３６を制御する内部記憶装置制御部である。患者毎の歯科情報は内部記憶装置３６に記憶する。【００２７】  ３２は操作部であり、フルキーボードを備える構成となっている。３４はインクジェットプリンターやレーザープリンター等であり、後述する各種出力情報を紙媒体に印刷することができる。本例では、インクジェットプリンターを使用している。【００２８】  更に、３５は外部記憶装置であり、他の装置で作成した各種の情報を本例の装置内に取り込むことが可能に構成されている。外部記憶装置としては各種の記憶装置を使用することができ、例えばＦＤ装置、磁気ディスク装置、光磁気ディスク装置等、各種の大容量記憶装置を接続することができる。３６は内部記憶装置であり、例えばハードディスク装置で構成されている。【００２９】  また、前記第八の発明の歯科情報管理プログラムを記録したコンピュータ読み取り可能な記録媒体は、本例では、該プログラムをＣＤ−ＲＯＭに記録したものを前記外部記憶装置３５によって読み出し、内部記憶装置３６に記憶させている。【００３０】  尚、本例では、歯科情報管理システ厶を実施するための装置として、市販のパーソナルコンピュータを利用している。【００３１】  以上の構成を備える本例において、患者への説明で使用される各種歯科情報の出力例を具体的に図３乃至図９に示す。【００３２】  図３は、第二の発明に係るＵ型歯列表示手段によって出力された図である。この図は患者の歯列を口腔内の喉側からの視点により、立体的に表現した歯列図である。すなわち、この図は少なくとも永久歯又は乳歯の区別、歯の有無、治療が必要な箇所、歯の欠損部分の治療処置状況をそれぞれ視覚的に表示し、歯牙部分および歯肉部分に対して、病名や病状の内容および医師の治療方針等を文字による情報としても表示している。【００３３】  ここで、歯列に関する簡単な説明と、一般的に歯科医療において使用される歯列表示様式について説明をする。歯列とは、図２に示すように、成人の場合、口腔内には上下左右対称に各８本、合計３２本の歯が生えており、その配列のことである。当然に、人によっては生えていない部位もあり、更には欠損歯になっている場合もある。また、図２は、一般的に歯科医療において使用されている歯列表示様式であって、たとえば患者の右側の歯は該様式においては左側に表示される。すなわち診察者側から見た歯列がそのまま表示されている。【００３４】  次に、図４及び図５は、第三の発明に係る２次元的歯列表示手段によって、患者の歯周病箇所を視覚的に表示した図である。図４は患者の歯周病箇所を歯肉表示部分に対する識別可能な視覚的表示方法によって出力された図である。また、図５は同じく患者の歯周病箇所を歯根部分に対する識別可能な視覚的表示方法によって出力された図である。また、これらの２種類の出力様式は同一の歯科情報に対して任意に変更することが可能である。【００３５】  更に、図６は第四の発明に係る２次元的歯列表示手段によって、患者のプラーク付着状態とポケットの状態を同一の歯牙表示部分に視覚的に表示した図である。この図において、歯冠部の着色部分はプラークの付着の場所を示しており、同じく歯根部の着色部分は歯肉部のポケットの深さを示している。【００３６】  更に、図７は第五の発明に係る２次元的歯列表示手段によって、患者のアタッチメントレベルを視覚的に表示した図である。この図において、歯周病による歯肉の退縮の程度、すなわちアタッチメントロスを歯肉表示部分に表示された目盛りに基づいて表示している。【００３７】  更に、図８は第六の発明に係る２次元的歯列表示手段によって、患者の歯肉部分のポケットの状態を検査日の異なる２つの検査データを同時に同一の歯牙表示部分に対して表示した図である。この図において、検査日の異なる２つの検査データは、直近の検査データを前面に表示し、古い検査データをその奥側に表示している。【００３８】  更に、図９は第七の発明に係る病状認識表示手段によって、検査日の異なる複数の検査データに基づいて、患者の残存歯牙数に対する歯周病箇所の割合を算出し表示したグラフ及びポケット深度の平均値を算出しその推移をグラフで表した図である。【００３９】  この図９において、４０は歯周病箇所の割合を表示するグラフである。該グラフは検査日毎に円グラフを用いて表示する。また、歯周病箇所の割合の算出方法は、該検査日毎に患者の歯周病箇所を該患者の残存歯牙数で除して算出する。【００４０】  同じく、図９において、４１はポケット深度の平均値を表示するグラフである、該グラフは１つの折れ線グラフで表示し、縦軸をポケット深度の平均値、横軸を検査日とすることで、時系列的にポケット深度の推移を表示している。【００４１】  ここでのポケット深度の平均値の算出方法は、該折れ線グラフに表示される検査日における患者の歯周病検査のポケット深度データのうちで、ポケット深度が該検査日において、一旦であっても歯周病と診断される深度、すなわち、ここでは４ミリメートル以上の値を持つ歯牙をまず対象として、グラフに表示される検査日毎に該対象歯牙のポケット深度をすべて合計し、その値を該対象歯牙数で除したものをポケット深度の平均値とし、検査日毎に算出し折れ線グラフで表示している。なお、該患者の該対象歯牙が該検査日の期間中に欠損になった場合は、該対象歯牙から該欠損歯牙のポケット深度データ及び該欠損歯牙数を過去に遡ってすベて除き、ポケット深度の平均値を算出している。【００４２】  次に、以上の構成を備える本例における歯科情報管理システムを利用して、歯科医師及び衛生士等が患者への説明を行うための情報を出力する一連の処理の概要を図１０乃至図１１に示す。【００４３】  まず、上述の第二の発明における、Ｕ型歯列表示手段によって情報出力を行う一連の処理の概要について、図１０に基づいて説明する。【００４４】  診察者は、検査や診断の結果に基づいて、前記表示部３３に表示された歯科情報入力様式に患者の歯科情報１を入力する（ステップＳ１）。ここで入力される歯科情報１とは、具体的には永久歯又は乳歯の区別、歯の有無、治療が必要な箇所及び傷病の内容、歯の欠損部分の処置状況等のいわゆる所見情報である。【００４５】  そして、ここで入力された歯科情報１は前記内部記憶装置３６に記憶される（ステップＳ２）。【００４６】  次に、上述の内部記憶装置３６に記憶された歯科情報１を読み出し表示部３３に新たな歯科情報入力様式を表示し、歯科情報２を更に入力する（ステップＳ３）。ここで表示部３３に表示される歯科情報入力様式は、Ｕ型歯列表示手段による様式のものである。ここで入力される歯科情報２とは、具体的には傷病名、病状の内容や程度、治療の方針等の情報である。【００４７】  そして、ここで入力された歯科情報２は内部記憶装置３６に記憶される（ステップＳ４）。【００４８】  次に、上述の内部記憶装置３６に記憶された歯科情報１および歯科情報２を読み出し、表示部３３に該歯科情報を表示させる（ステップＳ５）。ここで表示部３３に表示される表示様式はＵ型歯列手段による様式のものである。この時点で、表示部３３に表示されている情報をもって、患者に説明を行うこともできる。【００４９】  次に、表示部３３に表示された、前記歯科情報１及び前記歯科情報２を紙媒体に印刷する場合は、印刷指示を行うこと（ステップＳ６においてＹＥＳ）で、前記プリンター部３４によって印刷される。印刷の必要がない場合は、この処理をキャンセルする（ステップ６においてＮＯ）。【００５０】  以上の手順を終了した後、本処理を終了する場合は、終了指示を行うことで（ステップＳ８においてＹＥＳ）、本処理が終了する。また、終了指示をキャンセルした場合は（ステップＳ８においてＮＯ）、上記歯科情報が表示されている状態（ステップＳ５）まで戻る。【００５１】  次に、上述の第三の発明乃至第六の発明における、２次元的歯列表示手段によって情報出力を行う一連の処理の概要について、図１１に基づいて説明する。【００５２】  診察者は、検査や診断の結果に基づいて、表示部３３に表示された歯科情報入力様式に患者の歯科情報３を入力する（ステップＳ１）。ここで入力される歯科情報３とは、具体的にはプラークの付着状況、ポケット深度、動揺度、出血・排膿の有無、歯石の付着状況等のいわゆる歯周組織検査情報である。【００５３】  そして、ここで入力された歯科情報３は内部記憶装置３６に記憶される（ステップＳ２）。【００５４】  次に、上述の内部記憶装置３６に記憶された歯科情報３を読み出し、表示部３３に当該歯科情報を表示させる（ステップＳ３）。この時点で表示される該歯科情報の表示様式は、診察者にとって認識可能な様式をもつ表示方法であって、前記第三の発明乃至第六の発明に基づく、患者に容易に理解できる様式のものではない。【００５５】  次に、前記歯科情報３を患者に容易に理解できる様式で出力するために、前記第三の発明乃至第六の発明に基づく、２次元的歯列表示手段によって、それぞれの出力様式を選択する（ステップＳ４においてＹＥＳ）。また、この時点で、該出力様式選択処理をキャンセル（ステップＳ４においてＮＯ）した場合は、後述の終了指示（ステップＳ８）に進む。【００５６】  前記出力様式選択処理により、任意の選択された様式による歯科情報が、表示部３３に表示される（ステップＳ５）。この時点で、表示部３３に表示された、該様式による歯科情報をもって、患者に説明することもできる。【００５７】  ここで、上記選択処理後の具体的な出力様式の内容は、上記第三の発明に係る、歯周病箇所を視覚的に明示する表示様式、上記第四の発明に係る、歯冠部のプラークの付着状況と歯肉部のポケットの状況を同一の歯牙表示部分に同時に表示する表示様式、上記第五の発明に係る、歯肉部のアタッチメントレベルを表示する表示様式、上記第六の発明に係る、ポケットの状態を視覚的に表示し、かつ同一の歯牙表示部に対して、検査日の異なる歯科情報を同時に視覚的に表示する表示様式である。【００５８】  次に、表示部３３に表示された、上述の出力様式による歯科情報を紙媒体に印刷する場合は、印刷指示を行うこと（ステップ６においてＹＥＳ）で、プリンター部３４によって印刷される。紙媒体への印刷が必要ない場合は、この処理をキャンセルすることも可能である（ステップ６においてＮＯ）。【００５９】  以上の手順を終了した後、本処理を終了する場合は、終了指示を行うことで（ステップＳ７においてＹＥＳ）、本処理が終了する。また、終了指示をキャンセルした場合は（ステップＳ７においてＮＯ）、上記歯科情報３が表示されている状態まで戻る（ステップＳ３）。
【図面の簡単な説明】
【図１】本発明に係る発明の実施の形態の一例の歯科情報管理システムのブロック構成図である。
【図２】成人の歯の並び方を示した説明図である。
【図３】本例のＵ型歯列表示手段によって出力された、歯科情報出力例を示す図である。
【図４】本例の２次元的歯列表示手段によって出力された、患者の歯周病箇所を歯肉部に表現した例を示す図である。
【図５】本例の２次元的歯列表示手段によって出力された、患者の歯周病箇所を歯根部に表現した例を示す図である。
【図６】本例の２次元的歯列表示手段によって出力された、患者のプラーク付着状態とポケットの状態を表現した例を示す図である。
【図７】本例の２次元的歯列表示手段によって出力された、患者のアタッチメントレベルを表現した例を示す図である。
【図８】本例の２次元的歯列表示手段に基づき、患者のポケットの状態を表現した例を示す図である。
【図９】本例の病状認識表示手段によって出力された、歯周病箇所の割合を表示したグラフ及びポケット深度の平均値の推移をグラフで表した例を示す図である。
【図１０】前記Ｕ型歯列表示手段によって情報出力を行う一連の処理の概要を示す図である。
【図１１】前記２次元的歯列表示手段によって情報出力を行う一連の処理の概要を示す図である。
【符号の説明】
１０  制御部
１１  ＲＯＭ
１２  ＲＡＭ
２１  操作制御部
２３  表示制御部
２４  プリンター制御部
２５  外部記憶制御部
２６  内部記憶制御部
３１  マウス
３２  操作部
３３  表示部
３４  プリンター
３５  外部記憶装置
３６  内部記憶装置
４０  歯周病の割合を表すグラフ
４１  ポケットの平均深度を表すグラフ
【図１】
2005063397.tif 000003
【図２】
2005063397.tif 000004
【図３】
2005063397.tif 000005
【図４】
2005063397.tif 000006
【図５】
2005063397.tif 000007
【図６】
2005063397.tif 000008
【図７】
2005063397.tif 000009
【図８】
2005063397.tif 000010
【図９】
2005063397.tif 000011
【図１０】
2005063397.tif 000012
【図１１】
2005063397.tif 000013